(57)【要約】【課題】温度センサによって画像形成装置内の温度を検出し、検出温度に応じて定着器のヒータを制御することにより結露を防止すること。【解決手段】画像形成装置（Ｕ）が結露の生じ易い環境であるか否かを判別する環境判別温度を記憶する環境判別温度記憶手段と、環境温度を検出する環境温度センサ（Ｓ２）と、前記ヒータ（Ｈ）がオンになった時の前記環境温度センサ（Ｓ２）の検出するヒータ制御状態移行時環境温度が前記環境判別温度より低い場合に結露し易い環境であると判別する環境判別手段と、前記結露し易い環境下では、前記ヒータ制御状態移行時からの経過時間がスタンバイモード選択期間内は、非ジョブ時にスタンバイモードで前記ヒータ（Ｈ）を作動させる結露環境ヒータスタンバイ制御手段を有する前記ヒータ制御手段と、前記スタンバイモード選択期間を記憶するスタンバイモード選択期間記憶手段とを備えた画像形成装置。【選択図】　図１
2004020591.tif 000002
【特許請求の範囲】
【請求項１】
次の構成要件（Ａ０１）〜（Ａ０１４）を備えた画像形成装置、
（Ａ０１）回転移動するトナー像担持体の表面にトナー像を形成するトナー像形成装置、
（Ａ０２）前記トナー像をシート搬送装置により搬送される記録シート上に転写する転写装置、
（Ａ０３）互いに圧接しながら回転する加熱回転部材および加圧回転部材を有する定着用回転部材と、前記加熱回転部材の内部に回転軸方向に延びて配置されたヒータとを有し、互いに圧接する定着用回転部材の圧接領域により形成される定着領域を通過する記録シート上の未定着トナー像を定着する定着装置、
（Ａ０４）前記ヒータを作動させるヒータ作動回路、
（Ａ０５）前記ヒータの作動を制御するためのヒータ制御用温度を検出するヒータ制御用温度センサ、
（Ａ０６）前記トナー像を形成し、形成したトナー像を記録シートに転写し、記録シート上のトナー像を定着する画像記録動作であるジョブが実行されるジョブモード時の前記ヒータ制御用温度センサの検出するヒータ制御用温度の目標値であるジョブ温度設定値と、ジョブの開始を待つスタンバイモード時の前記ヒータ制御用温度の目標値であるスタンバイ温度設定値と、前記ジョブ開始を前記スタンバイ温度設定値よりも低い温度で待つローパワーモード時のヒータ制御用温度の目標値であるローパワー温度設定値とを有する目標温度設定値を記憶する目標温度設定値記憶手段、
（Ａ０７）前記ジョブモード時と、ジョブが行われていない非ジョブ時の前記スタンバイモード時および前記ローパワーモード時に、前記ヒータ制御用温度に基づいて前記ヒータ作動回路を制御し、前記ヒータ制御用温度が前記目標温度設定値となるように前記ヒータをオン・オフ制御するヒータ制御手段、
（Ａ０８）前記トナー像形成装置、転写装置、定着装置およびシート搬送装置の動作を制御して、前記画像記録動作であるジョブを実行するジョブ制御手段、
（Ａ０９）前記ヒータ制御用温度がジョブ温度設定値になると前記ジョブを開始するジョブ開始制御手段、
（Ａ０１０）画像形成装置が結露の生じ易い環境であるか否かを判別する環境判別温度を記憶する環境判別温度記憶手段、
（Ａ０１１）前記画像形成装置内の環境温度を検出する環境温度センサ、
（Ａ０１２）前記ヒータをオン・オフ制御するヒータ制御状態に移行する時の前記環境温度センサの検出する温度であるヒータ制御状態移行時環境温度が前記環境判別温度より低い場合に結露し易い環境であると判別する環境判別手段、
（Ａ０１３）前記結露し易い環境下では、前記ヒータ制御状態移行時からの経過時間が設定された期間内であるスタンバイモード選択期間内は、非ジョブ時にスタンバイモードで前記ヒータを作動させる結露環境ヒータスタンバイ制御手段を有する前記ヒータ制御手段、
（Ａ０１４）前記スタンバイモード選択期間を記憶するスタンバイモード選択期間記憶手段。
【請求項２】
次の構成要件（Ａ０１５），（Ａ０１６）を備えた請求項１記載の画像形成装置、
（Ａ０１５）前記結露し易い環境下では、前記ヒータ制御状態移行時からの経過時間が前記スタンバイモード選択期間を越えた所定期間内であるローパワーモード選択期間内は、非ジョブ時にローパワーモードで前記ヒータを作動させる結露環境ヒータローパワー制御手段を有する前記ヒータ制御手段、
（Ａ０１６）前記ローパワーモード選択期間を記憶するローパワーモード選択期間記憶手段。
【請求項３】
次の構成要件（Ａ０１７）を備えた請求項２記載の画像形成装置、
（Ａ０１７）前記スタンバイモード選択期間および前記ローパワーモード選択期間の値を設定可能な選択期間設定手段。
【請求項４】
次の構成要件（Ａ０１８）を備えた請求項２または３記載の画像形成装置、
（Ａ０１８）前記結露し易い環境下では、前記ヒータ制御状態移行時からの経過時間が前記ローパワーモード選択期間を越えた期間であるスリープモード選択期間では、非ジョブ時にヒータをオフにする結露環境ヒータスリープ制御手段を有する前記ヒータ制御手段。
【請求項５】
次の構成要件（Ａ０１９）を備えた請求項１ないし４のいずれか記載の画像形成装置、
（Ａ０１９）前記ジョブモード時のヒータ制御温度の目標値の下限値および上限値であるジョブ温度下限値およびジョブ温度上限値を有する前記ジョブ温度設定値と、前記スタンバイモード時のヒータ制御温度の目標値の下限値および上限値であるスタンバイ温度下限値およびスタンバイ温度上限値を有する前記スタンバイ温度設定値と、前記ローパワーモード時のヒータ制御用温度の目標値の下限値および上限値であるローパワー温度下限値およびローパワー温度上限値を有する前記ローパワー温度設定値とを記憶する前記目標温度設定値記憶手段。
【請求項６】
次の構成要件（Ａ０１）〜（Ａ０５），（Ａ０６′），（Ａ０７′），（Ａ０８）〜（Ａ０１４），（Ａ０２０）を備えた画像形成装置、
（Ａ０１）回転移動するトナー像担持体の表面にトナー像を形成するトナー像形成装置、
（Ａ０２）前記トナー像をシート搬送装置により搬送される記録シート上に転写する転写装置、
（Ａ０３）互いに圧接しながら回転する加熱回転部材および加圧回転部材を有する定着用回転部材と、前記加熱回転部材の内部に回転軸方向に延びて配置されたヒータとを有し、互いに圧接する定着用回転部材の圧接領域により形成される定着領域を通過する記録シート上の未定着トナー像を定着する定着装置、
（Ａ０４）前記ヒータを作動させるヒータ作動回路、
（Ａ０５）前記ヒータの作動を制御するためのヒータ制御用温度を検出するヒータ制御用温度センサ、
（Ａ０６′）前記トナー像を形成し、形成したトナー像を記録シートに転写し、記録シート上のトナー像を定着する画像記録動作であるジョブが実行されるジョブモード時の前記ヒータ制御用温度センサの検出するヒータ制御用温度の目標値であるジョブ温度設定値と、ジョブの開始を待つスタンバイモード時の前記ヒータ制御用温度の目標値であるスタンバイ温度設定値とを有する目標温度設定値を記憶する目標温度設定値記憶手段、
（Ａ０７′）前記ジョブモード時と、ジョブが行われていない非ジョブ時の前記スタンバイモード時に、前記ヒータ制御用温度に基づいて前記ヒータ作動回路を制御し、前記ヒータ制御用温度が前記目標温度設定値となるように前記ヒータをオン・オフ制御するヒータ制御手段、
（Ａ０８）前記トナー像形成装置、転写装置、定着装置およびシート搬送装置の動作を制御して、前記画像記録動作であるジョブを実行するジョブ制御手段、
（Ａ０９）前記ヒータ制御用温度がジョブ温度設定値になると前記ジョブを開始するジョブ開始制御手段、
（Ａ０１０）画像形成装置が結露の生じ易い環境であるか否かを判別する環境判別温度を記憶する環境判別温度記憶手段、
（Ａ０１１）前記画像形成装置内の環境温度を検出する環境温度センサ、
（Ａ０１２）前記ヒータをオン・オフ制御するヒータ制御状態に移行する時の前記環境温度センサの検出する温度であるヒータ制御状態移行時環境温度が前記環境判別温度より低い場合に結露し易い環境であると判別する環境判別手段、
（Ａ０１３）前記結露し易い環境下では、前記ヒータ制御状態移行時からの経過時間が設定された期間内であるスタンバイモード選択期間内は、非ジョブ時にスタンバイモードで前記ヒータを作動させる結露環境ヒータスタンバイ制御手段を有する前記ヒータ制御手段、
（Ａ０１４）前記スタンバイモード選択期間を記憶するスタンバイモード選択期間記憶手段。
（Ａ０２０）前記ヒータ制御状態移行時からの経過時間が前記スタンバイモード選択期間を越えた期間であるスリープモード選択期間では、非ジョブ時にヒータをオフにするスリープモード制御手段を有する前記ヒータ制御手段。
【発明の詳細な説明】
【０００１】
【発明の属する技術分野】
本発明は、電子写真複写機、ＦＡＸ（ファクシミリ）、プリンタ等の画像形成装置に関し、特に、記録シート上に未定着トナー像を形成し、前記トナー像が形成された記録シートが一対の定着用回転部材の接触領域である定着領域を通過する際に記録シート上のトナー像を加熱定着する画像形成装置に関する。
【０００２】
【従来の技術】
冬場のオフィスなどにおいて、朝一番に複写機等の画像形成装置の電源や、エアコンやストーブなどの電源を入れて、一定時間が経過した後、画像形成装置を作動させてコピー等のジョブを実行すると画像形成装置内部の感光体や現像装置等に結露が発生してしまう場合がある。これは空調などで暖められた温湿度の高い外気が冷却ファンによって機内に吸い込まれ、冷え切った感光体や現像装置等に触れることで発生するものである。感光体や現像装置等に結露が発生すると、感光体の帯電不良等により画像形成不良が発生する。
【０００３】
この結露による問題を解決するために、特開昭６２−２８８８７７号公報には、結露が発生した後に感光体を一定時間回転させて、感光体に接触するクリーニングブレードによって結露を除去する技術が記載されている。また、特開平１０−１４９０８２号公報には、機外と現像器（現像装置）の温度を検知する温度センサを備え、その温度により感光体のヒータをオン、オフ制御する技術が記載されている。
【０００４】
【発明が解決しようとする課題】
しかしながら、前記特開昭６２−２８８８７７号公報記載の技術のように、一定時間回転させるクリーニングブレードでクリーナ内に水滴を回収するだけでは、十分に水滴は除去できず、また、トナーが濡れるので、結露改善の効果が低い。その上、クリーニングブレードが感光体と接触するため、感光体の磨耗が問題となる。
前記特開平１０−１４９０８２号公報記載の技術では、現像器の温度を検知する温度センサを備える必要がある上に、感光体用のヒータも備える必要があるため、コストが高くなる等の問題がある。
また、近年では特に省エネ化が進んでおり、電源オン後すぐに定着器が切れてしまうために、定着器のヒータによって機内が暖められず、これまでよりさらに結露しやすい状況となってきている。
【０００５】
本発明は前述の事情に鑑み、次の記載内容（Ｏ０１）を技術的課題とする。
（Ｏ０１）画像形成装置内の温度に応じて、定着器のヒータをオン・オフする期間や定着器の温度を調節することによって、省エネルギー化すると共に結露を防止すること。
【０００６】
【課題を解決するための手段】
次に、前記課題を解決するために案出した本発明を説明するが、本発明の要素には、後述の実施の形態の要素との対応を容易にするため、実施の形態の要素の符号をカッコで囲んだものを付記する。また、本発明を後述の実施の形態の符号と対応させて説明する理由は、本発明の理解を容易にするためであり、本発明の範囲を実施の形態に限定するためではない。
【０００７】
（本発明）
前記課題を解決するために、本発明の画像形成装置は次の構成要件（Ａ０１）〜（Ａ０１４）を備えることを特徴とする。
（Ａ０１）回転移動するトナー像担持体（ＰＲ）の表面にトナー像を形成するトナー像形成装置（ＰＲ＋ＣＲ＋ＲＯＳ＋Ｇ）、
（Ａ０２）前記トナー像をシート搬送装置（Ｒａ〜Ｒｓ）により搬送される記録シート（Ｓ）上に転写する転写装置（Ｔ）、
（Ａ０３）互いに圧接しながら回転する加熱回転部材（Ｆｈ）および加圧回転部材（Ｆｐ）を有する定着用回転部材（Ｆｈ＋Ｆｐ）と、前記加熱回転部材（Ｆｈ）の内部に回転軸方向に延びて配置されたヒータ（Ｈ）とを有し、互いに圧接する定着用回転部材（Ｆｈ＋Ｆｐ）の圧接領域により形成される定着領域（Ｑ４）を通過する記録シート（Ｓ）上の未定着トナー像を定着する定着装置（Ｆ）、
（Ａ０４）前記ヒータ（Ｈ）を作動させるヒータ作動回路（Ｄ２）、
（Ａ０５）前記ヒータ（Ｈ）の作動を制御するためのヒータ制御用温度（Ｔ０）を検出するヒータ制御用温度センサ（Ｓ１）、
（Ａ０６）前記トナー像を形成し、形成したトナー像を記録シート（Ｓ）に転写し、記録シート（Ｓ）上のトナー像を定着する画像記録動作であるジョブが実行されるジョブモード（ＪＢ）時の前記ヒータ制御用温度センサ（Ｓ１）の検出するヒータ制御用温度（Ｔ０）の目標値であるジョブ温度設定値（ＴＪ）と、ジョブの開始を待つスタンバイモード（ＳＢ）時の前記ヒータ制御用温度（Ｔ０）の目標値であるスタンバイ温度設定値（ＴＳ）と、前記ジョブ開始を前記スタンバイ温度設定値（ＴＳ）よりも低い温度で待つローパワーモード（ＬＰ）時のヒータ制御用温度（Ｔ０）の目標値であるローパワー温度設定値（ＴＬ）とを有する目標温度設定値（ＴＪ，ＴＳ，ＴＬ）を記憶する目標温度設定値記憶手段（Ｃ６）、
（Ａ０７）前記ジョブモード（ＪＢ）時と、ジョブが行われていない非ジョブ時の前記スタンバイモード（ＳＢ）時および前記ローパワーモード（ＬＰ）時に、前記ヒータ制御用温度（Ｔ０）に基づいて前記ヒータ作動回路（Ｄ２）を制御し、前記ヒータ制御用温度（Ｔ０）が前記目標温度設定値（ＴＪ，ＴＳ，ＴＬ）となるように前記ヒータ（Ｈ）をオン・オフ制御するヒータ制御手段（Ｃ３）、
（Ａ０８）前記トナー像形成装置（ＰＲ＋ＣＲ＋ＲＯＳ＋Ｇ）、転写装置（Ｔ）、定着装置（Ｆ）およびシート搬送装置（Ｒａ〜Ｒｓ）の動作を制御して、前記画像記録動作であるジョブを実行するジョブ制御手段（Ｃ１）、
（Ａ０９）前記ヒータ制御用温度（Ｔ０）がジョブ温度設定値（ＴＪ）になると前記ジョブを開始するジョブ開始制御手段（Ｃ２）、
（Ａ０１０）画像形成装置（Ｕ）が結露の生じ易い環境であるか否かを判別する環境判別温度（Ｔｈ）を記憶する環境判別温度記憶手段（Ｃ４Ａ）、
（Ａ０１１）前記画像形成装置（Ｕ）内の環境温度（Ｔｋ）を検出する環境温度センサ（Ｓ２）、
（Ａ０１２）前記ヒータ（Ｈ）をオン・オフ制御するヒータ制御状態に移行する時の前記環境温度センサ（Ｓ２）の検出する温度であるヒータ制御状態移行時環境温度（Ｔｋ）が前記環境判別温度（Ｔｈ）より低い場合に結露し易い環境であると判別する環境判別手段（Ｃ４）、
（Ａ０１３）前記結露し易い環境下では、前記ヒータ制御状態移行時からの経過時間が設定された期間内であるスタンバイモード選択期間内（Ｔ１）は、非ジョブ時にスタンバイモード（ＳＢ）で前記ヒータ（Ｈ）を作動させる結露環境ヒータスタンバイ制御手段（Ｃ３Ｅ）を有する前記ヒータ制御手段（Ｃ３）、
（Ａ０１４）前記スタンバイモード選択期間（Ｔ１）を記憶するスタンバイモード選択期間記憶手段（Ｃ３Ｅ１）。
【０００８】
前記構成要件を備えた本発明の画像形成装置（Ｕ）では、トナー像形成装置（ＰＲ＋ＣＲ＋ＲＯＳ＋Ｇ）は、回転移動するトナー像担持体（ＰＲ）の表面にトナー像を形成する。前記トナー像は、シート搬送装置（Ｒａ〜Ｒｓ）により搬送される記録シート（Ｓ）上に、転写装置（Ｔ）によって転写される。前記記録シート（Ｓ）上に転写された未定着トナー像は、互いに圧接する定着用回転部材（Ｆｈ＋Ｆｐ）の圧接領域により形成される定着領域（Ｑ４）を通過する際に定着される。
【０００９】
ヒータ作動回路（Ｄ２）は、前記定着用回転部材（Ｆｈ＋Ｆｐ）の加熱回転部材（Ｆｈ）の内部に回転軸方向に延びて配置されたヒータ（Ｈ）を作動させる。ヒータ制御用温度センサ（Ｓ１）は、前記ヒータ（Ｈ）の作動を制御するためのヒータ制御用温度（Ｔ０）を検出する。前記ジョブが実行されるジョブモード（ＪＢ）時において、ヒータ制御手段（Ｃ３）は、前記ヒータ制御用温度（Ｔ０）に基づいて前記ヒータ作動回路（Ｄ２）を制御し、前記ヒータ制御用温度（Ｔ０）が前記ジョブ温度設定値（ＴＪ）になるように前記ヒータ（Ｈ）をオン・オフ制御する。ジョブ開始制御手段（Ｃ２）は、前記ヒータ制御用温度（Ｔ０）がジョブ温度設定値（ＴＪ）になると前記ジョブを開始する。そして、ジョブ制御手段（Ｃ１）は、前記トナー像形成装置（ＰＲ＋ＣＲ＋ＲＯＳ＋Ｇ）、転写装置（Ｔ）、定着装置（Ｆ）およびシート搬送装置（Ｒａ〜Ｒｓ）の動作を制御して、前記画像記録動作である前記ジョブを実行する。
【００１０】
また、ジョブが行われていない非ジョブ時の前記スタンバイモード（ＳＢ）時では、前記ヒータ制御手段（Ｃ３）は、前記ヒータ制御用温度（Ｔ０）に基づいて前記ヒータ作動回路（Ｄ２）を制御し、前記ヒータ制御用温度（Ｔ０）がジョブの開始を待つ前記スタンバイ温度設定値（ＴＳ）になるように前記ヒータ（Ｈ）をオン・オフ制御する。さらに、ジョブが行われていない非ジョブ時の前記ローパワーモード（ＬＰ）時では、前記ヒータ制御手段（Ｃ３）は、前記ヒータ制御用温度（Ｔ０）に基づいて前記ヒータ作動回路（Ｄ２）を制御し、前記ヒータ制御用温度（Ｔ０）が前記スタンバイ温度設定値（ＴＳ）よりも低い温度であるローパワー温度設定値（ＴＬ）になるように前記ヒータ（Ｈ）をオン・オフ制御する。
【００１１】
環境温度センサ（Ｓ２）は、前記画像形成装置（Ｕ）内の環境温度（Ｔｋ）を検出する。環境判別手段（Ｃ４）は、前記ヒータ（Ｈ）をオン・オフ制御するヒータ制御状態に移行する時の前記環境温度センサ（Ｓ２）の検出する温度であるヒータ制御状態移行時環境温度（Ｔｋ）が、前記環境判別温度記憶手段（Ｃ４Ａ）が記憶する環境判別温度（Ｔｈ）より低い場合に結露し易い環境であると判別する。結露環境ヒータスタンバイ制御手段（Ｃ３Ｅ）は、前記結露し易い環境下では、前記ヒータ制御状態移行時からの経過時間が設定された期間内であるスタンバイモード選択期間（Ｔ１）内は、非ジョブ時にスタンバイモード（ＳＢ）で前記ヒータ（Ｈ）をオン・オフ制御する。
【００１２】
したがって、本発明の画像形成装置（Ｕ）は、結露が生じやすい環境では、スタンバイモード選択期間（Ｔ１）内は、加熱回転部材（Ｆｈ）のヒータ（Ｈ）をスタンバイモード（ＳＢ）で加熱して画像形成装置（Ｕ）内を暖める。これにより、画像形成装置（Ｕ）内の感光体（ＰＲ）や現像装置（Ｇ）等が暖められ、外気との温度差を小さくなるので、ジョブ実行時に暖かく湿った温湿度の外気が吸引されても結露が発生することを防止できる。また、前記スタンバイモード選択期間（Ｔ１）の長さを適切に設定することにより、結露を防止しつつ省エネルギー化することができる。
【００１３】
また、前記本発明の画像形成装置（Ｕ）は、次の構成要件（Ａ０１５），（Ａ０１６）を備えることも可能である。
（Ａ０１５）前記結露し易い環境下では、前記ヒータ制御状態移行時からの経過期間が前記スタンバイモード選択期間（Ｔ１）を越えた所定期間内であるローパワーモード選択期間（Ｔ２）内は、非ジョブ時にローパワーモード（ＬＰ）で前記ヒータ（Ｈ）を作動させる結露環境ヒータローパワー制御手段（Ｃ３Ｆ）を有する前記ヒータ制御手段（Ｃ３）、
（Ａ０１６）前記ローパワーモード選択期間（Ｔ２）を記憶するローパワーモード選択期間記憶手段（Ｃ３Ｆ１）。
【００１４】
前記構成要件を備えた本発明の画像形成装置（Ｕ）では、前記結露し易い環境下において、前記ヒータ制御状態移行時からの経過時間が前記スタンバイモード選択期間（Ｔ１）を越えた所定期間内であるローパワーモード選択期間（Ｔ２）内は、非ジョブ時に結露環境ヒータローパワー制御手段（Ｃ３Ｆ）がローパワーモード（ＬＰ）で前記ヒータ（Ｈ）を作動させる。
したがって、前記本発明の画像形成装置（Ｕ）は、スタンバイモード（ＳＢ）よりも省エネルギー効果の高いローパワーモード（ＬＰ）でヒータ（Ｈ）を作動させて、画像形成装置（Ｕ）内を暖めることにより、省エネ化することができ、且つ結露を防止することができる。
【００１５】
また、前記本発明の画像形成装置（Ｕ）は、次の構成要件（Ａ０１７）を備えることができる。
（Ａ０１７）前記スタンバイモード選択期間（Ｔ１）および前記ローパワーモード選択期間（Ｔ２）の値を設定可能な選択期間設定手段（Ｃ５）。
前記構成要件を備えた本発明の画像形成装置（Ｕ）では、選択期間設定手段（Ｃ５）によって、前記スタンバイモード選択期間（Ｔ１）および前記ローパワーモード選択期間（Ｔ２）の値を設定することができる。したがって、スタンバイモード選択期間（Ｔ１）およびローパワーモード選択期間（Ｔ２）の設定値を変更することにより、使用される場所が温暖地から寒冷地に変わった場合や季節の移り変わり等に対応して、結露を防止し且つ省エネ化することができる。
【００１６】
また、前記本発明の画像形成装置（Ｕ）は、次の構成要件（Ａ０１８）を備えることができる。
（Ａ０１８）前記結露し易い環境下では、前記ヒータ制御状態移行時からの経過時間が前記ローパワーモード選択期間（Ｔ２）を越えた期間であるスリープモード選択期間では、非ジョブ時にヒータ（Ｈ）をオフにする結露環境ヒータスリープ制御手段（Ｃ３Ｇ）を有する前記ヒータ制御手段（Ｃ３）。
前記構成要件を備えた本発明の画像形成装置（Ｕ）では、結露環境ヒータスリープ制御手段（Ｃ３Ｇ）によって、前記結露し易い環境下では、前記ヒータ制御状態移行時からの経過時間が前記ローパワーモード選択期間（Ｔ２）を越えた期間であるスリープモード選択期間内は、非ジョブ時にヒータ（Ｈ）をオフにする。したがって、ヒータ（Ｈ）をオフにすることによって、さらに省エネルギー化することができる。
【００１７】
また、前記本発明の画像形成装置（Ｕ）は、次の構成要件（Ａ０１９）を備えることができる。
（Ａ０１９）前記ジョブモード（ＪＢ）時のヒータ制御温度（Ｔ０）の目標値の下限値および上限値であるジョブ温度下限値（ＴＪ１）およびジョブ温度上限値（ＴＪ２）を有する前記ジョブ温度設定値（ＴＪ）と、前記スタンバイモード（ＳＢ）時のヒータ制御温度（Ｔ０）の目標値の下限値および上限値であるスタンバイ温度下限値（ＴＳ１）およびスタンバイ温度上限値（ＴＳ２）を有する前記スタンバイ温度設定値（ＴＳ）と、前記ローパワーモード（ＬＰ）時のヒータ制御用温度（Ｔ０）の目標値の下限値および上限値であるローパワー温度下限値（ＴＬ１）およびローパワー温度上限値（ＴＬ２）を有する前記ローパワー温度設定値（ＴＬ）とを記憶する前記目標温度設定値記憶手段（Ｃ６）。
【００１８】
前記構成要件を備えた本発明の画像形成装置（Ｕ）では、前記ジョブモード（ＪＢ）時では、前記ヒータ制御用温度（Ｔ０）をジョブ温度下限値（ＴＪ１）とジョブ温度上限値（ＴＪ２）との間で制御する。また、前記スタンバイモード（ＳＢ）時では、前記ヒータ制御用温度（Ｔ０）をスタンバイ温度下限値（ＴＳ１）とスタンバイ温度上限値（ＴＳ２）との間で制御する。さらに、前記ローパワーモード（ＬＰ）時では、前記ヒータ制御用温度（Ｔ０）をローパワー温度下限値（ＴＬ１）とローパワー温度上限値（ＴＬ２）との間で制御する。
【００１９】
前記課題を解決するために本発明の画像形成装置は、次の構成要件（Ａ０１）〜（Ａ０５），（Ａ０６′），（Ａ０７′），（Ａ０８）〜（Ａ０１４），（Ａ０２０）を備えることを特徴とする。
（Ａ０１）回転移動するトナー像担持体（ＰＲ）の表面にトナー像を形成するトナー像形成装置（ＰＲ＋ＣＲ＋ＲＯＳ＋Ｇ）、
（Ａ０２）前記トナー像をシート搬送装置（Ｒａ〜Ｒｓ）により搬送される記録シート（Ｓ）上に転写する転写装置（Ｔ）、
（Ａ０３）互いに圧接しながら回転する加熱回転部材（Ｆｈ）および加圧回転部材（Ｆｐ）を有する定着用回転部材（Ｆｈ＋Ｆｐ）と、前記加熱回転部材（Ｆｈ）の内部に回転軸方向に延びて配置されたヒータ（Ｈ）とを有し、互いに圧接する定着用回転部材（Ｆｈ＋Ｆｐ）の圧接領域により形成される定着領域（Ｑ４）を通過する記録シート（Ｓ）上の未定着トナー像を定着する定着装置（Ｆ）、
（Ａ０４）前記ヒータ（Ｈ）を作動させるヒータ作動回路（Ｄ２）、
（Ａ０５）前記ヒータ（Ｈ）の作動を制御するためのヒータ制御用温度（Ｔ０）を検出するヒータ制御用温度センサ（Ｓ１）、
（Ａ０６′）前記トナー像を形成し、形成したトナー像を記録シート（Ｓ）に転写し、記録シート（Ｓ）上のトナー像を定着する画像記録動作であるジョブが実行されるジョブモード（ＪＢ）時の前記ヒータ制御用温度センサ（Ｓ１）の検出するヒータ制御用温度（Ｔ０）の目標値であるジョブ温度設定値（ＴＪ）と、ジョブの開始を待つスタンバイモード（ＳＢ）時の前記ヒータ制御用温度（Ｔ０）の目標値であるスタンバイ温度設定値（ＴＳ）とを有する目標温度設定値（ＴＪ，ＴＳ，ＴＬ）を記憶する目標温度設定値記憶手段（Ｃ６）、
（Ａ０７′）前記ジョブモード（ＪＢ）時と、ジョブが行われていない非ジョブ時の前記スタンバイモード（ＳＢ）時に、前記ヒータ制御用温度（Ｔ０）に基づいて前記ヒータ作動回路（Ｄ２）を制御し、前記ヒータ制御用温度（Ｔ０）が前記目標温度設定値（ＴＪ，ＴＳ）となるように前記ヒータ（Ｈ）をオン・オフ制御するヒータ制御手段（Ｃ３）、
（Ａ０８）前記トナー像形成装置（ＰＲ＋ＣＲ＋ＲＯＳ＋Ｇ）、転写装置（Ｔ）、定着装置（Ｆ）およびシート搬送装置（Ｒａ〜Ｒｓ）の動作を制御して、前記画像記録動作であるジョブを実行するジョブ制御手段（Ｃ１）、
（Ａ０９）前記ヒータ制御用温度（Ｔ０）がジョブ温度設定値（ＴＪ）になると前記ジョブを開始するジョブ開始制御手段（Ｃ２）、
（Ａ０１０）画像形成装置（Ｕ）が結露の生じ易い環境であるか否かを判別する環境判別温度（Ｔｈ）を記憶する環境判別温度記憶手段（Ｃ４Ａ）、
（Ａ０１１）前記画像形成装置（Ｕ）内の環境温度（Ｔｋ）を検出する環境温度センサ（Ｓ２）、
（Ａ０１２）前記ヒータ（Ｈ）をオン・オフ制御するヒータ制御状態に移行する時の前記環境温度センサ（Ｓ２）の検出する温度であるヒータ制御状態移行時環境温度（Ｔｋ）が前記環境判別温度（Ｔｈ）より低い場合に結露し易い環境であると判別する環境判別手段（Ｃ４）、
（Ａ０１３）前記結露し易い環境下では、前記ヒータ制御状態移行時からの経過時間が設定された期間内であるスタンバイモード選択期間内（Ｔ１）は、非ジョブ時にスタンバイモード（ＳＢ）で前記ヒータ（Ｈ）を作動させる結露環境ヒータスタンバイ制御手段（Ｃ３Ｅ）を有する前記ヒータ制御手段（Ｃ３）、
（Ａ０１４）前記スタンバイモード選択期間（Ｔ１）を記憶するスタンバイモード選択期間記憶手段（Ｃ３Ｅ１）。
（Ａ０２０）前記ヒータ制御状態移行時からの経過時間が前記スタンバイモード選択期間（Ｔ１）を越えた期間であるスリープモード選択期間では、非ジョブ時にヒータ（Ｈ）をオフにするスリープモード制御手段（Ｃ３Ｄ）を有する前記ヒータ制御手段（Ｃ３）。
【００２０】
前記構成要件を備えた本発明の画像形成装置（Ｕ）では、トナー像形成装置（ＰＲ＋ＣＲ＋ＲＯＳ＋Ｇ）は、回転移動するトナー像担持体（ＰＲ）の表面にトナー像を形成する。前記トナー像は、転写装置（Ｔ）によって、シート搬送装置（Ｒａ〜Ｒｓ）により搬送される記録シート（Ｓ）上に転写される。前記記録シート（Ｓ）上に転写された未定着トナー像は、互いに圧接する定着用回転部材（Ｆｈ＋Ｆｐ）の圧接領域により形成される定着領域（Ｑ４）を通過する際に定着される。
【００２１】
ヒータ作動回路（Ｄ２）は、前記定着用回転部材（Ｆｈ＋Ｆｐ）の加熱回転部材（Ｆｈ）の内部に回転軸方向に延びて配置されたヒータ（Ｈ）を作動させる。ヒータ制御用温度センサ（Ｓ１）は、前記ヒータ（Ｈ）の作動を制御するためのヒータ制御用温度（Ｔ０）を検出する。前記ジョブが実行されるジョブモード（ＪＢ）時において、ヒータ制御手段（Ｃ３）は、前記ヒータ制御用温度（Ｔ０）に基づいて前記ヒータ作動回路（Ｄ２）を制御し、前記ヒータ制御用温度（Ｔ０）が前記ジョブ温度設定値（ＴＪ）になるように前記ヒータ（Ｈ）をオン・オフ制御する。ジョブ開始制御手段（Ｃ２）は、前記ヒータ制御用温度（Ｔ０）がジョブ温度設定値（ＴＪ）になると前記ジョブを開始する。そして、ジョブ制御手段（Ｃ１）は、前記トナー像形成装置（ＰＲ＋ＣＲ＋ＲＯＳ＋Ｇ）、転写装置（Ｔ）、定着装置（Ｆ）およびシート搬送装置（Ｒａ〜Ｒｓ）の動作を制御して、前記画像記録動作であるジョブを実行する。
【００２２】
また、ジョブが行われていない非ジョブ時の前記スタンバイモード（ＳＢ）時では、前記ヒータ制御手段（Ｃ３）は、前記ヒータ制御用温度（Ｔ０）に基づいて前記ヒータ作動回路（Ｄ２）を制御し、前記ヒータ制御用温度（Ｔ０）がスタンバイ温度設定値（ＴＳ）になるように前記ヒータ（Ｈ）をオン・オフ制御する。さらに、前記ヒータ制御手段（Ｃ３）のスリープモード制御手段（Ｃ３Ｄ）は、前記非ジョブ時のスリープモード選択期間内は、ヒータ（Ｈ）をオフにした状態で保持する。
【００２３】
環境温度センサ（Ｓ２）は、前記画像形成装置（Ｕ）内の環境温度（Ｔｋ）を検出する。環境判別手段（Ｃ４）は、前記ヒータ（Ｈ）をオン・オフ制御するヒータ制御状態に移行する時の前記環境温度センサ（Ｓ２）の検出する温度であるヒータ制御状態移行時環境温度（Ｔｋ）が、前記環境判別温度記憶手段（Ｃ４Ａ）が記憶する環境判別温度（Ｔｈ）より低い場合に結露し易い環境であると判別する。結露環境ヒータスタンバイ制御手段（Ｃ３Ｅ）は、前記結露し易い環境下では、前記ヒータ制御状態移行時からの経過時間が前記スタンバイモード選択期間内（Ｔ１）は、非ジョブ時にスタンバイモード（ＳＢ）で前記ヒータ（Ｈ）をオン・オフ制御する。また、スリープモード選択期間内では、ヒータ（Ｈ）をオフにする。
【００２４】
したがって、本発明の画像形成装置（Ｕ）は、結露が生じやすい環境において、スタンバイモード選択期間（Ｔ１）内は、加熱回転部材（Ｆｈ）のヒータ（Ｈ）をスタンバイモード（ＳＢ）で加熱して画像形成装置（Ｕ）内を暖める。これにより、画像形成装置（Ｕ）内の感光体（ＰＲ）や現像装置（Ｇ）等が暖められ、外気との温度差が小さくなるので、ジョブが開始された時に温湿度の外気が画像形成装置（Ｕ）内に吸引されても結露が発生することを防止できる。また、ヒータ（Ｈ）をオフにするスリープモードＳＬを有するので、前記スタンバイモード選択期間（Ｔ１）を適切な長さに設定することにより結露を防止しつつ省エネルギー化することができる。
【００２５】
【発明の実施の形態】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００２６】
（実施例１）
図１は本発明の画像形成装置（デジタル複写機）の縦断面図である。
図１において、実施例の画像形成装置（デジタル複写機）Ｕは、画像形成装置本体Ｕ１、自動原稿搬送装置Ｕ２を有している。前記画像形成装置本体Ｕ１は、ＩＯＴ（イメージアウトプットターミナル）、ＩＩＴ（イメージインプットターミナル、すなわち画像読取部）を有している。
前記自動原稿搬送装置Ｕ２は、ＩＩＴ上面のプラテンガラスＰＧ上に支持されている。
前記ＩＯＴ上面には上方のＩＩＴとの間にシート排出トレイＴＲｈが設けられている。
【００２７】
図１において、前記自動原稿搬送装置Ｕ２は、複写しようとする複数の原稿Ｇｉが重ねて載置される原稿給紙トレイＴＧ１を有している。前記原稿給紙トレイＴＧ１に載置された複数の各原稿Ｇｉは順次プラテンガラスＰＧ上の複写位置を通過して原稿排紙トレイＴＧ２に排出されるように構成されている。前記自動原稿搬送装置Ｕ２は、その後端部（−Ｘ端部）に設けた左右方向（Ｙ軸方向）に延びるヒンジ軸（図示せず）により前記プラテンガラスＰＧ上面に対して回動可能であり、原稿Ｇｉを作業者が手でプラテンガラスＰＧ上に置く場合に上方に回動される。
前記画像形成装置本体Ｕ１は、ユーザーがコピースタート等の作動指令信号を入力操作するＵＩ（ユーザインタフェース）を有している。
【００２８】
前記透明なプラテンガラスＰＧの下方には原稿画像を読み取るための露光光学系Ａが配置されている。
前記自動原稿搬送装置Ｕ２でプラテンガラスＰＧ上面に搬送される原稿または手動でプラテンガラスＰＧ上に置かれた原稿（図示せず）からの反射光は、前記露光光学系Ａを介して、ＣＣＤ（固体撮像素子）で電気信号に変換される。
ＩＰＳ（イメージプロセッシングシステム）は、ＣＣＤから入力されるＲＧＢの電気信号を画像データに変換して一時的に記憶し、前記画像データを所定のタイミングで潜像形成用の画像データとしてレーザ駆動回路ＤＬに出力する。
レーザ駆動回路ＤＬは、入力された画像データに応じてレーザ駆動信号をＲＯＳ（潜像形成装置）に出力する。なお、前記ＵＩ（ユーザインタフェース）、ＩＰＳおよびレーザ駆動信号出力装置ＤＬと、後述の現像ロールＧａ、転写ロールＴにバイアス電圧を印加する電源回路Ｅ等の動作はコントローラＣにより制御される。
【００２９】
図１において、感光体ドラムにより構成されるトナー像担持体ＰＲはその軸ＰＲａと一体的に矢印方向に回転しており、その表面は、帯電ロールＣＲにより一様に帯電された後、潜像書込位置Ｑ１おいて前記ＲＯＳ（潜像形成装置）のレーザビームＬにより露光走査されて静電潜像が形成される。
前記静電潜像が形成されたトナー像担持体ＰＲ表面は回転移動して現像領域Ｑ２、転写領域（シート転写領域）Ｑ３を順次通過する。
現像装置Ｇは、現像ロールＧａ、現像剤攪拌部材Ｇｂ，Ｇｃ，Ｇｄを回転可能に支持し且つ現像剤を収容する現像容器Ｖを有しており、現像領域Ｑ２を通過するトナー像担持体ＰＲ上の静電潜像をトナー像に現像する。
前記トナー像担持体ＰＲ、帯電ロールＣＲ、潜像形成装置ＲＯＳ及び現像装置Ｇによって、トナー像形成装置（ＰＲ＋ＣＲ＋ＲＯＳ＋Ｇ）が構成されている。
【００３０】
前記転写領域Ｑ３に搬送するための記録用シートを収容する複数の給紙トレイＴＲ１〜ＴＲ４は、その左右両側に前後方向（図１で紙面に垂直な方向）に沿って配置された一対のレールＲＬ１，ＲＬ１に沿って移動可能に支持されている。
前記各給紙トレイＴＲ１〜ＴＲ４から、ピックアップロールＲｐにより取出された記録シートＳは、リタードロールおよび給紙ロールを有するさばきロールＲｓにより１枚づつ分離されて、シート搬送路ＳＨに沿って配置された複数のシート搬送ロールＲａにより搬送され、レジロールＲｒにより所定のタイミングで、前記転写領域Ｑ３に搬送される。
また、前記手差トレイＴＲ０から給紙された記録シートＳも前記シート搬送路ＳＨに沿って配置されたシート搬送ロールＲａ、レジロールＲｒにより前記転写領域Ｑ３に搬送される。
前記搬送ロールＲａ、ピックアップロールＲｐ、レジロールＲｒ及びさばきロールＲｓ等によってシート搬送装置（Ｒａ〜Ｒｓ）が構成されている。
【００３１】
前記転写領域Ｑ３には転写バイアスが印加される転写ロール（転写装置）Ｔが配置されている。この転写ロールＴは転写領域Ｑ３において前記トナー像担持体ＰＲに圧接しており、転写領域Ｑ３を通過する記録シートＳにトナー像担持体ＰＲ上のトナー像を転写する。
トナー像担持体ＰＲ表面のトナー像が転写領域Ｑ３において記録シートＳに転写された後、前記トナー像担持体ＰＲは、クリーナＣＬにより表面に付着した残留トナーが回収される。前記クリーナＣＬにより表面に付着した残留トナーが回収されたトナー像担持体ＰＲは、前記帯電ロールＣＲにより帯電される。
【００３２】
前記転写領域Ｑ３において未定着のトナー像が転写された記録シートＳは、トナー像が未定着の状態で定着領域Ｑ４に搬送され、定着領域Ｑ４に配置された定着装置Ｆによってトナー像が定着される。前記定着装置Ｆは、互いに圧接しながら回転する加熱ロール（加熱回転部材）Ｆｈと、加圧ロール（加圧回転部材）Ｆｐとを有し、前記加熱ロールＦｈと加圧ロールＦｐとの圧接領域により前記定着領域Ｑ４が形成される。前記加熱ロールＦｈの内部には回転軸方向（図１の紙面に垂直なＸ軸方向）に延びるヒータＨが配置されている。そして、前記加熱ロールＦｈ近傍には、加熱ロールＦｈの表面温度（ヒータ制御用温度）を検出するヒータ制御用温度センサＳ１が配置されている。また、前記加圧ロールＦｐ近傍には、画像形成装置Ｕ内の温度（環境温度）を検出する環境温度センサＳ２が配置されている。前記ヒータ制御用温度センサＳ１および環境温度センサＳ２は、サーミスタ等従来公知のセンサを使用することができる。前記加熱ロールＦｈおよび加圧ロールＦｐ等によって定着用回転部材（Ｆｈ＋Ｆｐ）が構成されている。そして、前記定着用回転部材（Ｆｈ＋Ｆｐ）およびヒータＨ等によって定着装置Ｆが構成されている。
【００３３】
定着トナー像が形成された記録シートＳは、その後、シートガイドにガイドされて排紙ロール（標準排出ロール）Ｒ１に搬送され、前記排紙ロールＲ１によりシート排出トレイＴＲｈに排出される。前記排紙ロール（標準排出ロール）Ｒ１は上側の排紙駆動ロールＲ１ａおよび下側の排紙従動ロールＲ１ｂを有している。
図１において、前記排紙ロールＲ１の左方には、オプション装置（シート反転装置）Ｕ３の装着時に、画像形成装置本体Ｕ１内に装着されるシート反転排出用ガイドＳＧおよびオプション排出ロールＲ２が２点鎖線（仮想線）で示されている。オプション排出ロールＲ２は下側のオプション排出駆動ロールＲ２ａおよび上側のオプション排出従動ロールＲ２ｂを有している。
【００３４】
記録シートの両面に画像記録を行う場合、片面記録済の記録シートは前記オプション排出ロールＲ２からシート反転装置Ｕ３を通って、表裏反転した状態で前記転写領域Ｑ３に再送される。
前記シート反転排出用ガイドＳＧおよびオプション排出ロールＲ２は、オプション装置であるシート反転装置Ｕ３を画像形成装置本体Ｕ１に装着した場合にのみ使用される部材（オプション排出部材）であり、シート反転装置Ｕ３の装着時に、オプション排出ロールＲ２を駆動するためのオプション駆動力伝達部材（図示せず）とともに画像形成装置本体Ｕ１内に装着される。
【００３５】
（実施例の制御部の説明）
図２は本発明の画像形成装置の実施例１の制御部分が備えている各機能をブロック図（機能ブロック図）で示した図である。
図３は前記図２の制御部分が備えている各機能のブロック図（機能ブロック図）の前記図２の続きのブロック図である。
図２において、コントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するコンピュータにより構成されており、前記ＲＯＭに記憶されたプログラムを実行することにより種々の機能を実現することができる。
【００３６】
（前記コントローラＣに接続された信号入力要素）
前記コントローラＣは、ＵＩ（ユーザインタフェース）、電源スイッチＳＷ、ヒータ制御用温度センサＳ１（図１、図２参照）および環境温度センサＳ２、その他の信号入力要素からの信号が入力されている。
前記ＵＩは、表示器ＵＩ１、コピースタートキーＵＩ２，コピー枚数設定キーＵＩ３、倍率設定キーＵＩ４，テンキーＵＩ５等を備えている。
【００３７】
（前記コントローラＣに接続された制御要素）
また、コントローラＣは、ＩＰＳ（イメージプロセッシングシステムすなわち、画像処理システム）、ＤＬ（レーザドライバすなわちレーザ駆動回路）、電源回路Ｅ、メインモータ回転駆動回路Ｄ０、定着用回転部材・搬送ロール回転駆動回路Ｄ１および定着装置のヒータ作動回路Ｄ２、その他の制御要素に接続されており、それらの作動制御信号を出力している。前記電源回路Ｅは各種の駆動回路、モータ、ヒータＨ等に電力を供給する。
前記電源スイッチＳＷは、画像形成装置Ｕの電源を手動でオンおよびオフにするスイッチである。
前記ヒータ制御用温度センサＳ１は、前記加熱ロールＦｈ表面部分の温度をヒータ制御用温度Ｔ０として検出する。
前記環境温度センサＳ２は、前記ヒータＨをオン・オフ制御するヒータ制御状態に移行する時の前記画像形成装置Ｕ内の温度をヒータ制御状態移行時環境温度Ｔｋとして検出する。
メインモータ回転駆動回路Ｄ０は、メインモータＭ０を介してトナー像担持体（感光体）ＰＲ、現像装置Ｇの各部材および転写ロールＴを回転駆動する。
定着用回転部材・搬送ロール回転駆動回路Ｄ１は、定着用回転部材・搬送ロール回転駆動モータＭ１を介して加熱ロールＦｈおよび加圧ロールＦｐで構成された定着用回転部材（Ｆｈ＋Ｆｐ）や、シート搬送ロールＲａ等の搬送ロールを回転駆動する。
ヒータ作動回路Ｄ２は、加熱ロールＦｈに内蔵されたヒータＨを作動させる。
【００３８】
（前記コントローラＣの機能）
前記コントローラＣは、前記信号出力要素からの入力信号に応じた処理を実行して、前記各制御要素に制御信号を出力する機能を有している。
すなわち、コントローラＣは次の機能を有している。
Ｃ１：ジョブ制御手段
ジョブ制御手段Ｃ１はコピースタートキーＵＩ２の入力に応じて、前記トナー像形成装置（ＰＲ＋ＣＲ＋ＲＯＳ＋Ｇ）、転写装置Ｔ、定着装置Ｆおよびシート搬送装置（Ｒａ〜Ｒｓ）等の動作を制御して、前記画像記録動作であるジョブ（コピー動作すなわち、画像記録動作）を実行する。
Ｃ２：ジョブ開始制御手段
ジョブ開始制御手段Ｃ２は、前記ヒータ制御用温度Ｔ０がジョブ温度設定値ＴＪになると前記ジョブを開始するように制御する。
【００３９】
Ｃ３：ヒータ制御手段
ヒータ制御手段Ｃ３は、ヒータ制御用温度センサＳ１の検出するヒータ制御用温度Ｔ０に基づいて前記ヒータ作動回路Ｄ２を制御し、前記ヒータ制御用温度Ｔ０が目標温度設定値（ＴＪ，ＴＳ，ＴＬ）となるようにヒータＨをオン・オフ制御する。なお、ヒータ制御制御手段Ｃ３はジョブモード制御手段Ｃ３Ａと、スタンバイモード制御手段Ｃ３Ｂと、ローパワーモード制御手段Ｃ３Ｃと、スリープモード制御手段Ｃ３Ｄと、結露環境ヒータスタンバイ制御手段Ｃ３Ｅと、結露環境ヒータローパワー制御手段Ｃ３Ｆと、結露環境ヒータスリープ制御手段Ｃ３Ｇとを有している。
Ｃ３Ａ：ジョブモード制御手段
ジョブモード制御手段Ｃ３Ａは、ジョブ実行時に、前記ヒータ制御温度Ｔ０がジョブ温度設定値ＴＪ（後述の図３、図４、図５等参照）に保持されるジョブモードＪＢ（図４、図５参照）で前記ヒータＨを作動させるようにヒータ作動回路Ｄ２を制御する。
【００４０】
Ｃ３Ｂ：スタンバイモード制御手段
スタンバイモード制御手段Ｃ３Ｂは、結露が発生し難い通常環境下で、前記ジョブの終了時からの経過時間が設定された時間内であるスタンバイモード継続時間Ｔ３（後述、図７参照）内は、非ジョブ時にスタンバイモードＳＢ（図４参照）で前記ヒータＨを作動させるようにヒータ作動回路Ｄ２を制御する。ここで、前記スタンバイモードＳＢとは、前記ヒータ制御用温度Ｔ０をスタンバイ温度設定値ＴＳに保持するようにヒータＨをオン・オフ制御するモードをいう。なお、前記スタンバイモード制御手段Ｃ３Ｂは、スタンバイモード継続時間Ｔ３を記憶するスタンバイモード継続時間記憶手段Ｃ３Ｂ１を有する。
Ｃ３Ｃ：ローパワーモード制御手段
ローパワーモード制御手段Ｃ３Ｃは、結露が発生しにくい通常環境下で、前記スタンバイモード継続時間Ｔ３を越えた所定時間内であるローパワーモード継続時間Ｔ４（図８参照）内は、非ジョブ時にローパワーモードＬＰ（図４参照）で前記ヒータＨを作動させるようにヒータ作動回路Ｄ２を制御する。ここで、前記ローパワーモードＬＰとは、前記ヒータ制御用温度Ｔ０をローパワー温度設定値ＴＬ（図４、図５参照）に保持するようにヒータＨをオン・オフ制御するモードをいう。なお、前記ローパワーモード制御手段Ｃ３Ｃは、ローパワーモード継続時間Ｔ４を記憶するローパワーモード継続時間記憶手段Ｃ３Ｃ１を有する。
【００４１】
Ｃ３Ｄ：スリープモード制御手段
スリープモード制御手段Ｃ３Ｄは、結露が発生し難い通常環境下で、前記ローパワーモード継続時間Ｔ４を越えた期間であるスリープモード継続期間では、非ジョブ時にスリープモードＳＬで作動させるようにヒータ作動回路Ｄ２を制御する。ここで、前記電源スイッチＳＷがオンの状態で且つヒータＨがオフになっている状態（モード）をスリープモードＳＬという。
なお、本明細書において、前記ジョブモードＪＢ、スタンバイモードＳＢ及びローパワーモードＬＰのように、ヒータ制御用温度Ｔ０を目標温度設定値（ＴＪ，ＴＳ，ＴＬ）に保持するようにヒータＨをオン・オフ制御する状態をヒータ制御状態という。また、前記スリープモードＳＬや電源スイッチＳＷがオンになる前の状態のように、ヒータＨをオン・オフ制御せずにオフの状態が保持される状態をヒータ非制御状態という。
【００４２】
Ｃ３Ｅ：結露環境ヒータスタンバイ制御手段
結露環境ヒータスタンバイ制御手段Ｃ３Ｅは、結露が発生しやすい結露環境下で、前記ヒータ制御状態移行時からの経過時間が設定された期間内であるスタンバイモード選択期間Ｔ１（後述の図７参照）内は、非ジョブ時に前記スタンバイモードＳＢ（図４、図５参照）で前記ヒータＨを作動させるようにヒータ作動回路Ｄ２を制御する。なお、前記結露環境ヒータスタンバイ制御手段Ｃ３Ｅは、スタンバイモード選択期間Ｔ１を記憶するスタンバイモード選択期間記憶手段Ｃ３Ｅ１を有する。
Ｃ３Ｆ：結露環境ヒータローパワー制御手段
結露環境ヒータローパワー制御手段Ｃ３Ｆは、結露が発生しやすい結露環境下で、前記ヒータ制御状態移行時からの経過時間が前記スタンバイモード選択期間Ｔ１を越えた所定期間であるローパワーモード選択期間Ｔ２内は、非ジョブ時に前記ローパワーモードＬＰで前記ヒータＨを作動させるようにヒータ作動回路Ｄ２を制御する。なお、前記結露環境ヒータローパワー制御手段Ｃ３Ｆは、ローパワーモード選択期間Ｔ２（図８参照）を記憶するローパワーモード選択期間記憶手段Ｃ３Ｆ１を有する。
Ｃ３Ｇ：結露環境ヒータスリープ制御手段
結露環境ヒータスリープ制御手段Ｃ３Ｇは、結露が発生しやすい結露環境下で、前記ヒータ制御状態移行時からの経過時間が前記ローパワーモード選択期間Ｔ２を越えた期間であるスリープモード選択期間では、非ジョブ時にヒータＨを前記スリープモードＳＬで作動させるようにヒータ作動回路Ｄ２を制御する。
【００４３】
Ｃ４：環境判別手段
環境判別手段Ｃ４は、前記環境温度センサＳ２の検出する前記ヒータ制御状態移行時環境温度Ｔｋが環境判別温度Ｔｈより低い場合に結露しやすい結露環境であると判別し、前記ヒータ制御状態移行時環境温度Ｔｋが環境判別温度Ｔｈより高い場合に結露しにくい通常環境であると判別する。なお、前記環境判別手段Ｃ４は、環境判別温度Ｔｈを記憶する環境判別温度記憶手段Ｃ４Ａと、ヒータ制御状態移行時環境温度Ｔｋを記憶するヒータ制御状態移行時環境温度記憶手段Ｃ４Ｂとを有する。
Ｃ５：選択期間設定手段
選択期間設定手段Ｃ５は、前記スタンバイモード選択期間Ｔ１および前記ローパワーモード選択期間Ｔ２の値を設定する。なお、前記選択期間設定手段Ｃ５は、スタンバイモード選択期間設定手段Ｃ５Ａとローパワーモード選択期間設定手段Ｃ５Ｂとを有する。
Ｃ５Ａ：スタンバイモード選択期間設定手段
スタンバイモード選択期間設定手段Ｃ５Ａは、サービスエンジニアまたはユーザー等の操作によってスタンバイモード選択期間Ｔ１の値を変更・設定する。
Ｃ５Ｂ：ローパワーモード選択期間設定手段
ローパワーモード選択期間設定手段Ｃ５Ｂは、サービスエンジニアまたはユーザー等の操作によってローパワーモード選択期間Ｔ２の値を変更・設定する。
【００４４】
Ｃ６：目標温度設定値記憶手段
目標温度設定値記憶手段Ｃ６は、前記ヒータ制御手段Ｃ３でヒータ作動回路Ｄ２を制御する時の前記ヒータ制御用温度Ｔ０の目標値である目標温度設定値（ＴＪ，ＴＳ，ＴＬ）を記憶する。前記目標温度設定値（ＴＪ，ＴＳ，ＴＬ）として、ジョブ温度設定値ＴＪと、スタンバイ温度設定値ＴＳと、ローパワー温度設定値ＴＬとがある。
ＴＪ：ジョブ温度設定値
ジョブ温度設定値ＴＪは、前記ジョブモード（ＪＢ）時のヒータ制御用温度Ｔ０の目標値であり、その下限値および上限値であるジョブ温度下限値ＴＪ１およびジョブ温度上限値ＴＪ２を有する。即ち、前記ジョブモード（ＪＢ）時にヒータ制御用温度Ｔ０をジョブ温度設定値ＴＪに保持する場合、前記ヒータ制御用温度Ｔ０の値がジョブ温度下限値ＴＪ１になった時にヒータＨをオンにし、ジョブ温度上限値ＴＪ２とになった時にヒータＨをオフにする。
【００４５】
ＴＳ：スタンバイ温度設定値
スタンバイ温度設定値ＴＳは、前記ジョブの開始を待つスタンバイモード（ＳＢ）時のヒータ制御用温度Ｔ０の目標値であり、その下限値および上限値であるスタンバイ温度下限値ＴＳ１およびスタンバイ温度上限値ＴＳ２とを有する。即ち、前記スタンバイモード（ＳＢ）時にヒータ制御用温度Ｔ０をスタンバイ温度設定値ＴＳに保持する場合、前記ヒータ制御用温度Ｔ０の値がスタンバイ温度下限値ＴＳ１になった時にでヒータＨをオンにし、スタンバイ温度上限値ＴＳ２になった時にヒータＨをオフにする。
ＴＬ：ローパワー温度設定値
ローパワー温度設定値ＴＬは、前記ジョブの開始を前記スタンバイ温度設定値ＴＳよりも低い温度で待つローパワーモード（ＬＰ）時のヒータ制御用温度Ｔ０の目標値であり、その下限値および上限値であるローパワー温度下限値ＴＬ１およびローパワー温度上限値ＴＬ２とを有する。即ち、ローパワーモード（ＬＰ）時にヒータ制御用温度Ｔ０をローパワー温度設定値ＴＬに保持する場合、前記ヒータ制御用温度Ｔ０の値がローパワー温度下限値ＴＬ１になった時にヒータＨをオンにし、ローパワー温度上限値ＴＬ２になった時にヒータＨをオフにする。
【００４６】
ＴＭ１〜ＴＭ３：計時タイマ
計時タイマＴＭ１は、ヒータＨがオンになる時からの経過時間を計測する。
計時タイマＴＭ２は、ジョブ終了後のスタンバイモード継続時間Ｔ３を計測する。
計時タイマＴＭ３は、スタンバイモード継続時間Ｔ３またはスタンバイモード選択期間Ｔ１経過後からのローパワーモード継続時間Ｔ４を計測する。
なお、計時タイマＴＭ２、ＴＭ３は、前記計時タイマＴＭ１と異なり、経過した時間を計測するタイマではなく、セットされた時間が経過した時点でタイムアップとなるタイマである。
Ｆ１：電源オン時判別フラグ
電源オン時判別フラグＦ１は、電源スイッチＳＷがオンされてイニシャライズ等の所定の処理が終了した場合にＦ１＝「１」となるフラグである。
Ｆ２：スリープモード判別フラグ
スリープモード判別フラグＦ２は、ローパワーモード継続時間Ｔ４またはローパワーモード選択期間Ｔ２経過後にスリープモードになった場合、Ｆ２＝「１」となるフラグである。
Ｆ３：通常環境・結露環境判別フラグ
通常環境・結露環境判別フラグＦ３は、前記環境判別手段Ｃ４によって結露環境であると判別された時にＦ３＝「１」となるフラグである。
【００４７】
（実施例１の作用）
図４は前記構成を備えた本発明の画像形成装置の実施例１のタイムチャートの一例であり、通常環境時のタイムチャートの一例である。
図５は前記構成を備えた本発明の画像形成装置の実施例１のタイムチャートの一例であり、結露環境時のタイムチャートの一例である。
なお、前記図４および図５の相違点は、次の２点である。
（１）スタンバイモードＳＢの期間が、図４ではジョブ終了後の２分間（スタンバイモード継続時間Ｔ３）であるのに対し、図５では、ヒータ制御状態移行時から３０分間（スタンバイモード選択期間Ｔ１）である点。
（２）ローパワーモードＬＰの期間が、図４ではスタンバイモードＳＢの期間経過後１分間（ローパワーモード継続時間Ｔ４）であるのに対し、図５ではスタンバイモードＳＢの期間が経過後に始まり、ヒータ制御状態移行時から１２０分経過する時点までの期間（ローパワーモード選択期間Ｔ２）である点。
【００４８】
図４、図５において、画像形成装置Ｕの電源スイッチＳＷがオンになると、ヒータＨがオン・オフ制御されていないヒータ非制御状態から、ヒータＨをオン・オフ制御するヒータ制御状態であるスタンバイモードＳＢに移行する。前記電源スイッチＳＷがオンになってスタンバイモードＳＢに移行すると、前記ヒータ制御用温度センサＳ１のヒータ制御用温度Ｔ０がスタンバイ温度設定値ＴＳ（１７０℃〜１８０℃）のスタンバイ温度上限値ＴＳ２（１８０℃）になるまでヒータＨがオンになる。そして、前記ヒータ制御用温度Ｔ０がスタンバイ温度上限値ＴＳ２（１８０℃）とスタンバイ温度下限値ＴＳ１（１７０℃）との間になるように（１７０℃≦Ｔ０≦１８０℃となるように）温度制御される。したがって、実施例１のスタンバイモードＳＢでは、前記ヒータ制御用温度Ｔ０をスタンバイ温度下限値ＴＳ１（１７０℃）とスタンバイ温度上限値ＴＳ２（１８０℃）との間に温度制御することにより、ヒータ制御用温度Ｔ０がスタンバイ温度設定値ＴＳ（１７０℃〜１８０℃）に保持される。
【００４９】
結露が発生し難い通常環境下では、図４に示すように、前記電源スイッチＳＷがオンされてから２分間（スタンバイモード継続時間Ｔ３）が経過するまでに、ジョブが開始されない場合、スタンバイモードＳＢからローパワーモードＬＰに移行し、前記ヒータ制御用温度Ｔ０がローパワー温度下限値ＴＬ１（１１５℃）になるまでヒータＨがオフになる。これに対し、結露が発生し易い結露環境下では、図５に示すように、前記電源スイッチＳＷがオンされてから３０分（スタンバイモード選択期間Ｔ１）が経過した後、スタンバイモードＳＢからローパワーモードＬＰに移行する。
そして、前記通常環境下（図４の場合）および結露環境下（図５の場合）において、ローパワーモードＬＰでは、前記ヒータ制御用温度Ｔ０がローパワー温度下限値ＴＬ１（１１５℃）とローパワー温度上限値ＴＬ２（１２５℃）との間になるように（１１５℃≦Ｔ０≦１２５℃になるように）温度制御される。したがって、実施例１のローパワーモードＬＰでは、前記ヒータ制御用温度Ｔ０をローパワー温度下限値ＴＬ１（１１５℃）とローパワー温度上限値ＴＬ２（１２５℃）との間の温度に保持することにより、ヒータ制御用温度Ｔ０がローパワー温度設定値ＴＬ（１１５℃〜１２５℃）に保持される。
【００５０】
図４に示す通常環境下では、前記ローパワーモード（ＬＰ）になってから１分間（ローパワーモード継続時間Ｔ４）が経過するまでに、ジョブが開始されない場合、ローパワーモードＬＰからスリープモードＳＬに移行し、前記ヒータＨがオフになる。これに対し、図５に示す結露環境下では、前記電源スイッチＳＷがオンにされてから１２０分（ローパワーモード選択期間Ｔ２）が経過した後、スリープモードＳＬに移行し、前記ヒータＨがオフになる。そして、ジョブが開始されるまでヒータＨの電源はオフの状態を維持する。
【００５１】
図４、図５において、ユーザインタフェースＵＩのコピースタートキーがオンになり、ジョブが開始されると、ヒータ制御用温度Ｔ０がジョブ温度上限値ＴＪ２（２１０℃）に上昇するまで前記ヒータＨがオンになる。前記ヒータ制御用温度Ｔ０がジョブ温度下限値ＴＪ１（１９０℃）以上になるとジョブが開始される。そして、ジョブが実行されている期間中、前記ヒータ制御用温度Ｔ０の温度が、ジョブ温度上限値ＴＪ２（２１０℃）とＴＪ１（１９０℃）との間になるように（１９０℃≦Ｔ０≦２１０℃になるように）温度制御される。したがって、実施例１のジョブモードＪＢでは、前記ヒータ制御用温度Ｔ０をジョブ温度下限値ＴＪ１（１９０℃）とジョブ温度上限値ＴＪ２（２１０℃）との間に保持することにより、ヒータ制御用温度Ｔ０がジョブ温度設定値ＴＪ（１９０℃〜２１０℃）に保持される。
【００５２】
前記ジョブ終了した後、ジョブモードＪＢからスタンバイモードＳＢに移行し、前記ヒータ制御用温度Ｔ０がスタンバイ温度下限値ＴＳ１（１７０℃）になるまで、前記ヒータＨはオフになる。
そして、図４に示す通常環境下では、前述のように、ジョブが開始されない場合、スタンバイモードＳＢで２分間（スタンバイモード継続時間Ｔ３）保持され、ローパワーモードＬＰで１分間（ローパワーモード継続時間Ｔ４）保持された後、ジョブが開始されるまでスリープモードＳＬで保持される。なお、スタンバイモード継続期間Ｔ３中やローパワーモード継続時間Ｔ４中にジョブが開始されると、ジョブモードＪＢに移行して、ヒータＨがオンになり、ジョブが実行される。
【００５３】
図５に示す結露環境下では、ジョブ終了後、スタンバイモードＳＢに移行して、前記ヒータ制御用温度Ｔ０はスタンバイ温度設定値ＴＳ（１７０℃〜１８０℃）で保持される。前記スタンバイモードＳＢは、ヒータ制御状態に移行する時（即ち、ジョブが開始されヒータがオンになる時）から３０分が経過するまでの間（スタンバイモード選択期間Ｔ１）保持される。そして、前記スタンバイモード選択期間Ｔ１経過後、ローパワーモードＬＰに移行し、ヒータ制御用温度Ｔ０はローパワー温度設定値ＴＬ（１１５℃〜１２５℃）で保持される。前記ローパワーモードＬＰは、ヒータ制御状態から移行する時から１２０分が経過するまでの間（ローパワーモード選択期間Ｔ２）保持される。前記ローパワーモード選択期間Ｔ２経過後、ヒータＨはオフになりスリープモードＳＬに移行する。
【００５４】
なお、前記スタンバイモード選択期間内Ｔ１にジョブが開始された場合、ヒータ制御用温度Ｔ０がジョブ温度設定値ＴＪ（１９０℃〜２１０℃）に保持されるように温度制御される。そして、ジョブ終了後、通常環境時と同様に、スタンバイモードＳＢで２分間保持され、２分経過時に、前記スタンバイモード選択期間Ｔ１（ヒータ制御状態に移行した時から３０分）が経過してなければ、スタンバイモード選択期間Ｔ１が経過するまでスタンバイモードＳＢで保持される。ジョブ終了後、２分間のスタンバイモード継続時間Ｔ３が経過した時、前記３０分間のスタンバイモード選択期間Ｔ１が経過していれば、ローパワーモードＬＰに移行する。
また、ローパワーモード選択期間Ｔ２内にジョブが開始された場合、ジョブ終了後、２分間スタンバイモードＳＢで保持された後、ローパワーモードＬＰに移行する。２分間のスタンバイモード継続時間Ｔ３が経過した時に、前記ローパワーモード選択期間Ｔ２（ヒータ制御状態に移行した時から１２０分）が経過していれば、ローパワーモードＬＰで１分間（ローパワーモード継続時間Ｔ４）保持された後、スリープモードＳＬに移行する。
【００５５】
なお、前記図４、図５のタイムチャートは、画像形成装置内の環境温度Ｔｋが一定の場合の一例であり、暖房器具等により室温が上昇するのに伴い環境温度が上昇していく場合もある。即ち、電源オン時は結露環境であっても、スリープモードＳＬに移行した後、ジョブが開始された時には通常環境となっている場合もある。
【００５６】
（フローチャートの説明）
図６は実施例１の画像形成装置のヒータ制御処理のメインフローチャートである。
図６のフローチャートの各ＳＴ（ステップ）の処理は、前記コントローラＣのＲＯＭに記憶されたプログラムに従って行われる。また、この処理は画像形成装置の他の各種処理と並行してマルチタスクで実行される。
図６に示すヒータ制御処理のフローチャートは電源スイッチＳＷオンにより開始される。
【００５７】
ＳＴ１において、電源オン時判別フラグＦ１＝「０」であるか否か、即ち、電源スイッチＳＷがオンされた直後であるか否かを判別する。ノー（Ｎ）の場合はＳＴ５に移り、イエス（Ｙ）の場合はＳＴ２に移る。
ＳＴ２において、次の処理（１）、（２）を行う。
（１）環境温度センサＳ２の検出温度を環境温度Ｔｋとして記憶する。
（２）計時タイマＴＭ１＝０から計時を開始する。
したがって、ＳＴ２の処理によって、電源スイッチＳＷがオンになった時（前記ヒータ非制御状態）からジョブモードＪＢまたはスタンバイモードＳＢ（前記ヒータ制御状態）に移行した時に、環境温度Ｔｋの検出が行われ、且つ計時タイマＴＭ１がリセットされてヒータ制御状態移行時からの経過時間の計測が開始される。次に、ＳＴ３に移る。
【００５８】
ＳＴ３において、トナー像担持体ＰＲの画像書込位置の調整や、ヒータ制御処理以外の制御処理で使用される制御パラメータの初期化等のイニシャライズ処理を行う。次に、ＳＴ４に移る。
ＳＴ４において、次の処理（１）、（２）を行う。
（１）電源オン時判別フラグＦ１＝「１」とする。
（２）スリープモード判別フラグＦ２＝「０」とする。
次に、ＳＴ５に移る。
【００５９】
ＳＴ５において、コピースタートキーＵＩ２がオンされたか否か、即ち、ジョブが開始されたか否かを判断する。ノー（Ｎ）の場合はＳＴ６に移り、イエス（Ｙ）の場合はＳＴ７に移る。
ＳＴ６において、通常環境・結露環境での非ジョブ時ヒータ制御処理を実行する。このＳＴ６のサブルーチンは図７，８において後述する。そして、ＳＴ１に戻る。
ＳＴ７において、スリープモード判別フラグＦ２＝「１」であるか否かを判断する。ノー（Ｎ）の場合はＳＴ９に移り、イエス（Ｙ）の場合はＳＴ８に移る。
ＳＴ８において、次の処理（１）〜（３）を実行する。
（１）環境温度センサＳ２の検出温度を環境温度Ｔｋとして記憶する。
（２）計時タイマＴＭ１＝０から計時を開始する。
（３）スリープモード判別フラグＦ２＝「０」とする。
したがって、ＳＴ８の処理によって、スリープモードＳＬ（前記ヒータ非制御状態）からジョブモードＪＢ（ヒータ制御状態）に移行する時に、環境温度Ｔｋの再検出が行われ、且つ計時タイマＴＭ１がリセットされてヒータ制御状態移行時からの経過時間の計測が開始される。次にＳＴ９に移る。
ＳＴ９において、ジョブモード時ヒータ制御処理を実行する。このＳＴ９のサブルーチンは図９において後述する。そして、ＳＴ１０に移る。
ＳＴ１０において、ジョブ終了か否かを判断する。ノー（Ｎ）の場合は、ＳＴ９に戻り、イエス（Ｙ）の場合は、ＳＴ１に戻る。
【００６０】
図７は、通常環境・結露環境での非ジョブ時ヒータ制御処理のフローチャートで、前記ＳＴ６のサブルーチンのフローチャートである。
図８は、前記図７の通常環境・結露環境での非ジョブ時ヒータ制御処理のフローチャートの続きのフローチャートで、前記ＳＴ６のサブルーチンの続きのフローチャートである。
ＳＴ１１において、前記ヒータ制御状態移行時の環境温度Ｔｋの値が環境判別温度Ｔｈ（＝１２℃）以上か否かを判断する。イエス（Ｙ）の場合はＳＴ１２に移り、ノー（Ｎ）の場合はＳＴ１３に移る。
ＳＴ１２において、通常環境・結露環境判別フラグＦ４＝「０」とする。即ち、ヒータ制御状態移行時の環境温度Ｔｋが環境判別温度Ｔｈ以上である場合は、結露が発生し難い通常環境であると判断して、通常環境・結露環境判別フラグＦ４の値を「０」に設定する。そして、ＳＴ１４に移る。
ＳＴ１３において、通常環境・結露環境判別フラグＦ４＝「１」とする。即ち、ヒータ制御状態移行時の環境温度Ｔｋが環境判別温度Ｔｈより小さい場合は、結露が発生し易い結露環境であると判断し、通常環境・結露環境判別フラグＦ４の値を「１」に設定する。そして、ＳＴ１４に移る。
【００６１】
ＳＴ１４において、計時タイマＴＭ２にスタンバイモード継続時間Ｔ３（＝２分間）をセットする。次にＳＴ１５に移る。
ＳＴ１５において、スタンバイモード（ＳＢ）時のヒータ制御処理を実行する。このＳＴ１５のサブルーチンは図１０において後述する。次にＳＴ１６に移る。
ＳＴ１６において、計時タイマＴＭ２がタイムアップしたか否かを判断する。ノー（Ｎ）の場合はＳＴ１７に移り、イエス（Ｙ）の場合はＳＴ１８に移る。
ＳＴ１７において、ジョブが開始されたか否かを判断する。ノー（Ｎ）の場合はＳＴ１５に戻り、イエス（Ｙ）の場合は前記ＳＴ９（図６参照）に戻る。
【００６２】
ＳＴ１８において、通常環境・結露環境判別フラグＦ３＝「１」であるか否かを判断する。イエス（Ｙ）の場合はＳＴ１９に移り、ノー（Ｎ）の場合はＳＴ２２（図８参照）に移る。
ＳＴ１９において、スタンバイモード（ＳＢ）時のヒータ制御処理を実行する。このＳＴ１９のサブルーチンは、図１０において後述する前記ＳＴ１５のサブルーチンと同様の処理を実行する。次に、ＳＴ２０に移る。
ＳＴ２０において、計時タイマＴＭ１の計測時間がスタンバイモード選択期間Ｔ１（＝３０分）を経過しているか否かを判断する。ノー（Ｎ）の場合はＳＴ２１に移り、イエス（Ｙ）の場合はＳＴ２２に移る。
ＳＴ２１において、ジョブが開始されたか否かを判断する。ノー（Ｎ）の場合はＳＴ１９に戻り、イエス（Ｙ）の場合は前記ＳＴ９（図６参照）に戻る。
したがって、結露環境の場合、ＳＴ１４〜ＳＴ２１の処理によって、スタンバイ選択期間Ｔ１（３０分）が経過するまでの間、スタンバイモードＳＢで保持される。また、通常環境の場合、ＳＴ１４〜ＳＴ１８により、スタンバイモード継続時間Ｔ３（２分）が経過するまでの間スタンバイモードＳＢで保持される。
【００６３】
図８のＳＴ２２において、計時タイマＴＭ３にローパワーモード継続時間Ｔ４（＝１分）をセットする。そしてＳＴ２３に移る。
ＳＴ２３において、ローパワーモード（ＬＰ）時のヒータ制御処理を実行する。このＳＴ２３のサブルーチンは図１１において後述する。次にＳＴ２４に移る。
ＳＴ２４において、計時タイマＴＭ３がタイムアップしたか否かを判断する。ノー（Ｎ）の場合はＳＴ２５に移り、イエス（Ｙ）の場合はＳＴ２６に移る。
ＳＴ２５において、ジョブが開始されたか否かを判断する。ノー（Ｎ）の場合は、ＳＴ２３に戻り、イエス（Ｙ）の場合は前記ＳＴ９（図６参照）に戻る。
【００６４】
ＳＴ２６において、通常環境・結露環境判別フラグＦ３＝「１」であるか否かを判断する。イエス（Ｙ）の場合はＳＴ２７に移り、ノー（Ｎ）の場合はＳＴ３０に移る。
ＳＴ２７において、ローパワーモード（ＬＰ）時のヒータ制御処理を実行する。このＳＴ２７のサブルーチンは、前記ＳＴ２３と同様の処理を行い、図１１において後述する。次にＳＴ２８に移る。
ＳＴ２８において、計時タイマＴＭ１の計測時間がローパワーモード選択期間Ｔ２（＝１２０分）を経過しているか否かを判断する。ノー（Ｎ）の場合はＳＴ２９に移り、イエス（Ｙ）の場合はＳＴ３０に移る。
ＳＴ２９において、ジョブが開始されたか否かを判断する。ノー（Ｎ）の場合はＳＴ２７に戻り、イエス（Ｙ）の場合は前記ＳＴ９（図６参照）に戻る。
ＳＴ３０において、次の（１）、（２）の処理を実行する。
（１）スリープモード判別フラグＦ２＝「１」とする。
（２）ヒータＨをオフにする。
次に、ヒータ制御処理メインルーチンのＳＴ１に戻る。
【００６５】
したがって、結露環境の場合、ＳＴ２２〜ＳＴ２９の処理によって、ローパワーモード選択期間Ｔ２（＝１２０分）が経過するまでの間、ローパワーモード（ＬＰ）で保持される。また、通常環境の場合、ＳＴ２２〜ＳＴ２６の処理によって、ローパワーモード継続時間Ｔ４（＝１分）が経過するまでの間ローパワーモード（ＬＰ）で保持された後、スリープモードＳＬへ移行する。
【００６６】
図９はジョブモード時のヒータ制御処理のフローチャートで、前記ＳＴ９のサブルーチンのフローチャートである。
ＳＴ３１において、前記ヒータ制御用温度センサＳ１の検出温度であるヒータ制御用温度Ｔ０の値がジョブ温度下限値ＴＪ１（＝１９０℃）以下であるか否かを判断する。イエス（Ｙ）の場合はＳＴ３２に移り、ノー（Ｎ）の場合はＳＴ３３に移る。
ＳＴ３２において、ヒータＨをオンにし、前記ＳＴ１０（図６参照）に戻る。ＳＴ３３において、前記ヒータ制御用温度Ｔ０の値がジョブ温度上限値ＴＪ２（＝２１０℃）以上であるか否かを判断する。イエス（Ｙ）の場合はＳＴ３４に移り、ノー（Ｎ）の場合は前記ＳＴ１０（図６参照）に戻る。
ＳＴ３４において、ヒータＨをオフにし、前記ＳＴ１０（図６参照）に戻る。したがって、ジョブモードＪＢでは、ヒータ制御用温度Ｔ０は、ジョブ温度下限値ＴＪ１とジョブ温度上限値ＴＪ２との間で保持される。
【００６７】
図１０はスタンバイモード時のヒータ制御処理のフローチャートで、前記ＳＴ１５またはＳＴ１９のサブルーチンのフローチャートである。
ＳＴ４１において、前記ヒータ制御用温度Ｔ０の値がスタンバイ温度下限値ＴＳ１（＝１７０℃）以下であるか否かを判断する。イエス（Ｙ）の場合はＳＴ４２に移り、ノー（Ｎ）の場合はＳＴ４３に移る。
ＳＴ４２において、ヒータＨをオンにし、前記図７のＳＴ１６（ＳＴ１５の場合）またはＳＴ２０（ＳＴ１９の場合）に戻る。
ＳＴ４３において、前記ヒータ制御用温度Ｔ０の値がスタンバイ温度上限値ＴＳ２（＝１８０℃）以上であるか否かを判断する。イエス（Ｙ）の場合はＳＴ４４に移り、ノー（Ｎ）の場合は前記図７のＳＴ１６（ＳＴ１５の場合）またはＳＴ２０（ＳＴ１９の場合）に戻る。
ＳＴ４４において、ヒータＨをオフにし、前記図７のＳＴ１６（ＳＴ１５の場合）またはＳＴ２０（ＳＴ１９の場合）に戻る。
したがって、スタンバイモードＳＢでは、ヒータ制御用温度Ｔ０は、スタンバイ温度下限値ＴＳ１とスタンバイ温度上限値ＴＳ２との間で保持される。
【００６８】
図１１はローパワーモード時のヒータ制御処理のフローチャートで、前記ＳＴ２３またはＳＴ２７のサブルーチンのフローチャートである。
ＳＴ５１において、前記ヒータ制御用温度Ｔ０の値がローパワー温度下限値ＴＬ１（＝１１５℃）以下であるか否かを判断する。イエス（Ｙ）の場合はＳＴ５２に移り、ノー（Ｎ）の場合はＳＴ５３に移る。
ＳＴ５２において、ヒータＨをオンにし、前記図８のＳＴ２４（ＳＴ２３の場合）またはＳＴ２８（ＳＴ２７の場合）に戻る。
ＳＴ５３において、前記ヒータ制御用温度Ｔ０の値がローパワー温度上限値ＴＬ２（＝１２５℃）以上であるか否かを判断する。イエス（Ｙ）の場合はＳＴ５４に移り、ノー（Ｎ）の場合は前記図８のＳＴ２４（ＳＴ２３の場合）またはＳＴ２８（ＳＴ２７の場合）に戻る。
ＳＴ５４において、ヒータＨをオフにし、前記図８のＳＴ２４（ＳＴ２３の場合）またはＳＴ２８（ＳＴ２７の場合）に戻る。
したがって、ローパワーモードＬＰでは、ヒータ制御用温度Ｔ０は、ローパワー温度下限値ＴＬ１とローパワー温度上限値ＴＬ２との間で保持される。
【００６９】
図１２はスタンバイモード選択期間やローパワーモード選択期間の設定値を変更・再設定する選択期間設定処理のフローチャートである。
図１２のフローチャートの各ＳＴ（ステップ）の処理は、前記コントローラＣのＲＯＭに記憶されたプログラムに従って行われる。また、この処理は画像形成装置の他の各種処理と並行してマルチタスクで実行される。
図１２に示す選択期間設定処理のフローチャートは、前記電源スイッチＳＷオンにより開始される。
【００７０】
ＳＴ６１において、ダイアグモード（ｄｉａｇｎｏｓｔｉｃモード、診断モード）が選択されたか否かを判断する。ノー（Ｎ）の場合はＳＴ６１を繰り返し、イエス（Ｙ）の場合はＳＴ６２に移る。
ＳＴ６２において、ダイアグモード初期メニュー画面を表示する。次にＳＴ６３に移る。
ＳＴ６３において、選択期間設定処理が選択されたか否かを判断する。ノー（Ｎ）の場合はＳＴ６２に戻り、イエス（Ｙ）の場合はＳＴ６４に移る。
ＳＴ６４において、ユーザインタフェースＵＩの表示器ＵＩ１に、選択期間設定画面を表示する。次にＳＴ６５に移る。
ＳＴ６５において、スタンバイモード選択期間Ｔ１やローパワーモード選択期間Ｔ２の値の入力が有るか否かを判断する。イエス（Ｙ）の場合はＳＴ６６に移り、ノー（Ｎ）の場合はＳＴ６７に移る。
ＳＴ６６において、次の処理（１）、（２）を実行する。
（１）入力された入力値を記憶する。
（２）前記入力値を画面に表示する。
次にＳＴ６７に移る。
ＳＴ６７において、終了アイコンが選択されたか否かを判断する。ノー（Ｎ）の場合はＳＴ６４に戻り、イエス（Ｙ）の場合はＳＴ６８に移る。
ＳＴ６８において、前記入力値を設定値として記憶する。そしてＳＴ６１に戻る。
【００７１】
したがって、前記ＳＴ６４〜ＳＴ６８の処理によって、スタンバイモード選択期間Ｔ１やローパワーモード選択期間Ｔ２の設定値を変更することにより、寒冷地用にスタンバイモード選択期間Ｔ１やローパワーモード選択期間Ｔ２を長く設定することができる。また、省エネのため、スタンバイモード選択期間Ｔ１やローパワーモード選択期間Ｔ２を短縮することもできる。さらに、例えば、スタンバイモード選択期間を６０分に延長し、ローパワーモード選択期間を０分とするように設定することも可能である。この場合、ローパワーモード選択期間Ｔ２を無くし、スタンバイモード選択期間Ｔ１及びローパワーモード継続時間Ｔ４が経過した後、スリープモードＳＬに移行するよう設定することも可能である。また、ローパワーモード継続時間Ｔ４を設けない、即ち、ローパワーモードＬＰが存在しないヒータ温度制御とすることも可能である。逆に、ローパワーモード選択期間Ｔ２を無限の期間にし、ヒータＨをオフにしないよう設定することも可能である。
【００７２】
なお、本実施例では、前記ヒータ制御状態移行時の環境温度ＴｋをヒータＨがオンになる直前に検出したが、ヒータＨがオンになるのと同時または直後に検出することも可能である。すなわち、ヒータＨがオンになる直前〜直後の間のいずれかの時点で検出した温度を、ヒータ制御状態移行時の環境温度Ｔｋとすることができる。
【００７３】
（変更例）
以上、本発明の実施例を詳述したが、本発明は、前記実施の形態に限定されるものではなく、特許請求の範囲に記載された本発明の要旨の範囲内で、種々の変更を行うことが可能である。本発明の変更例（Ｈ０１）〜（Ｈ０８）を下記に例示する。
（Ｈ０１）本発明は複写機以外の画像形成装置、例えばプリンタ、ＦＡＸ等にも適用することが可能である。プリンタに適用した場合には、コピースタートキーの入力信号の代りにプリント開始信号を用いて制御を行えばよい。
（Ｈ０２）前記実施例において、選択期間設定手段Ｃ５で、スタンバイモード選択期間Ｔ１やローパワーモード選択期間Ｔ２の設定値だけでなく、スタンバイモード継続時間Ｔ３やローパワーモード継続時間Ｔ４の設定値を変更できるよう構成することも可能である。
（Ｈ０３）前記実施例において、ジョブ温度設定値ＴＪ、スタンバイ温度設定値ＴＳ及びローパワー温度設定値ＴＬの値は、前述の実施例の値に限定されず、任意の値に設定することができる。また、ジョブ温度設定値ＴＪ、スタンバイ温度設定値ＴＳ及びローパワー温度設定値ＴＬを、形成される画像、使用される環境又は紙の種類等に対応して可変とすることも可能である。
（Ｈ０４）前記実施例において、環境判別温度Ｔｈは１２℃に限定されず、個々のケースに対応して設定・変更することも可能である。
（Ｈ０５）本発明は、中間転写体を有する画像形成装置で使用することも可能である。
（Ｈ０６）前記実施例において、スリープモード制御手段Ｃ３Ｄと結露環境ヒータスリープ制御手段Ｃ３Ｇとを２つに分けず、１つのスリープ制御手段とすることもできる。
（Ｈ０７）前記実施例において、ヒータ制御用温度センサＳ１で検出した温度を環境温度Ｔｋとすることも可能である。即ち、ヒータ制御用温度センサＳ１と環境温度センサＳ２とを同一のセンサとすることも可能である。
（Ｈ０８）前記実施例において、ジョブ温度設定値ＴＪ、スタンバイ温度設定値ＴＳ及びローパワー温度設定値ＴＬの値を変更・設定するための温度設定値設定手段等を備えることもできる。
【００７４】
【発明の効果】
前述の本発明の画像形成装置は、下記の効果（Ｅ０１）を奏することができる。
（Ｅ０１）画像形成装置内の温度に応じて、定着器のヒータをオン・オフする期間や定着器の温度を調節することによって、省エネルギー化すると共に結露を防止することができる。
【図面の簡単な説明】
【図１】図１は本発明の画像形成装置（デジタル複写機）の縦断面図である。
【図２】図２は本発明の画像形成装置の実施例１の制御部分が備えている各機能をブロック図（機能ブロック図）で示した図である。
【図３】図３は前記図２の制御部分が備えている各機能のブロック図（機能ブロック図）の前記図２の続きのブロック図である。
【図４】図４は前記構成を備えた本発明の画像形成装置の実施例１のタイムチャートの一例であり、通常環境時のタイムチャートの一例である。
【図５】図５は前記構成を備えた本発明の画像形成装置の実施例１のタイムチャートの一例であり、結露環境時のタイムチャートの一例である。
【図６】図６は実施例１の画像形成装置のヒータ制御処理のメインフローチャートである。
【図７】図７は、通常環境・結露環境での非ジョブ時ヒータ制御処理のフローチャートで、前記ＳＴ６のサブルーチンのフローチャートである。
【図８】図８は、前記図７の通常環境・結露環境での非ジョブ時ヒータ制御処理のフローチャートの続きのフローチャートで、前記ＳＴ６のサブルーチンの続きのフローチャートである。
【図９】図９はジョブモード時のヒータ制御処理のフローチャートで、前記ＳＴ９のサブルーチンのフローチャートである。
【図１０】図１０はスタンバイモード時のヒータ制御処理のフローチャートで、前記ＳＴ１５またはＳＴ１９のサブルーチンのフローチャートである。
【図１１】図１１はローパワーモード時のヒータ制御処理のフローチャートで、前記ＳＴ２３またはＳＴ２７のサブルーチンのフローチャートである。
【図１２】図１２はスタンバイモード選択期間やローパワーモード選択期間の設定値を変更・再設定する選択期間設定処理のフローチャートである。
【符号の説明】
Ｃ１…ジョブ制御手段、Ｃ２…ジョブ開始制御手段、Ｃ３…ヒータ制御手段、Ｃ３Ｄ…スリープモード制御手段、Ｃ３Ｅ…結露環境ヒータスタンバイ制御手段、Ｃ３Ｅ１…スタンバイモード選択期間記憶手段、Ｃ３Ｆ…結露環境ヒータローパワー制御手段、Ｃ３Ｆ１…ローパワーモード選択期間記憶手段、Ｃ３Ｇ…結露環境ヒータスリープ制御手段、Ｃ４…環境判別手段、Ｃ４Ａ…環境判別温度記憶手段、Ｃ５…選択期間設定手段、Ｃ６…目標温度設定値記憶手段、Ｄ２…ヒータ作動回路、Ｆ…定着装置、Ｆｈ…加熱回転部材、Ｆｐ…加圧回転部材、Ｆｈ＋Ｆｐ…定着用回転部材、Ｈ…ヒータ、ＪＢ…ジョブモード、ＬＰ…ローパワーモード、ＰＲ…トナー像担持体、ＰＲ＋ＣＲ＋ＲＯＳ＋Ｇ…トナー像形成装置、Ｑ４…定着領域、Ｒａ〜Ｒｐ…シート搬送装置、Ｓ…記録シート、ＳＢ…スタンバイモード、Ｓ１…ヒータ制御用温度センサ、Ｓ２…環境温度センサ、Ｔ…転写装置、ＴＪ…ジョブ温度設定値、ＴＪ，ＴＳ，ＴＬ…目標温度設定値、ＴＪ１…ジョブ温度下限値、ＴＪ２…ジョブ温度上限値、ＴＳ１スタンバイ温度下限値、ＴＳ２…スタンバイ温度上限値、Ｔｋ…環境温度、ＴＬ…ローパワー温度設定値、ＴＬ１…ローパワー温度下限値、ＴＬ２…ローパワー温度上限値、ＴＳ…スタンバイ温度設定値、Ｔ０…ヒータ制御用温度、Ｔ１スタンバイモード選択期間、Ｔ２…ローパワーモード選択期間、Ｕ…画像形成装置。
【図１】
2004020591.tif 000003
【図２】
2004020591.tif 000004
【図３】
2004020591.tif 000005
【図４】
2004020591.tif 000006
【図５】
2004020591.tif 000007
【図６】
2004020591.tif 000008
【図７】
2004020591.tif 000009
【図８】
2004020591.tif 000010
【図９】
2004020591.tif 000011
【図１０】
2004020591.tif 000012
【図１１】
2004020591.tif 000013
【図１２】
2004020591.tif 000014